(57)【要約】【課題】多様なものを代用蓋として使用することができ、使用者の利便性や状況適応力に優れる真空二重保温容器を提供する。【解決手段】減圧空間Ｓａ、Ｓｂが内設される二重壁を底部１１ａ、１１ｂと周側部１２ａ、１２ｂに備える真空二重保温容器であり、上方に開放する開口部４ａ、４ｂが周側部１２ａ、１２ｂの上端で囲まれて設けられ、周側部１２ａ、１２ｂの上端の外周で周側部１２ａ、１２ｂの上端より上方に突出するように弾性封止材５ａ、５ｂが設けられ、弾性封止材５ａ、５ｂの上に載置される載置板で容器内部を閉塞可能である真空二重保温容器。【選択図】図４
2020162698.tif 000002
【特許請求の範囲】
【請求項１】
減圧空間が内設される二重壁を底部と周側部に備える真空二重保温容器であって、
上方に開放する開口部が前記周側部の上端で囲まれて設けられ、
前記周側部の上端の外周で前記周側部の上端より上方に突出するように弾性封止材が設けられ、
前記弾性封止材の上に載置される載置板で容器内部を閉塞可能であることを特徴とする真空二重保温容器。
【請求項２】
前記弾性封止材の上端面が前記載置板と面接触可能な平滑水平面で形成されていることを特徴とする請求項１記載の真空二重保温容器。
【請求項３】
前記弾性封止材がシリコンで形成されていることを特徴とする請求項１又は２記載の真空二重保温容器。
【請求項４】
前記周側部が基部と前記基部より上側に配置される首窄まり部を有し、
逆さまにした状態で、前記底部が、前記真空二重保温容器と同一の形状と構造を有し且つ前記真空二重保温容器よりも大きさが小さい子容器の弾性封止材の上に載置板として載置可能であると共に、前記首窄まり部が、前記子容器の周側部の基部の外側に遊嵌可能であることを特徴とする請求項１〜３の何れかに記載の真空二重保温容器。
【請求項５】
減圧空間が内設される二重壁を底部と周側部に備え、上方に開放する開口部が前記周側部の上端で囲まれて設けられ、前記周側部の上端の外周で前記周側部の上端より上方に突出するように弾性封止材が設けられる親容器と子容器を備え、
前記子容器の弾性封止材の上に、逆さまにされた前記親容器の減圧空間が内設された二重壁の底部を載置して、前記子容器の容器内部が閉塞されることを特徴とする保温構造。
【請求項６】
前記親容器と前記子容器のそれぞれの前記周側部が基部と前記基部より上側に配置される首窄まり部を有し、
逆さまにされた前記親容器の首窄まり部が、前記子容器の周側部の基部の外側に遊嵌されることを特徴とする請求項５記載の保温構造。
【請求項７】
前記親容器と同一の形状と構造を有し且つ前記親容器よりも大きさが大きく、周側部が基部と前記基部より上側に配置される首窄まり部を有する大容器を備え、
前記大容器に、前記子容器と逆さまにされた前記親容器が収容され、
前記大容器の首窄まり部が、前記親容器の周側部の基部の外側に遊嵌されることを特徴とする請求項６記載の保温構造。
【請求項８】
前記子容器の底部の外表面から上端までの高さが、前記親容器の底部の内表面から上端までの高さよりも高くなるように形成されていることを特徴とする請求項５〜７の何れかに記載の保温構造。
【発明の詳細な説明】
【技術分野】
【０００１】
本発明は、例えば調理した料理の保温や蒸らし調理などに用いられる真空二重保温容器及び保温構造に関する。
【背景技術】
【０００２】
従来、調理した料理の保温や蒸らし調理に用いられる容器として、二重壁の内部に減圧空間が設けられた真空二重保温容器が知られており、例えば特許文献１にはこのような真空二重保温容器が開示されている。特許文献１の保温容器は、内容器と外容器の間に減圧空間が設けられる容器本体と、内蓋と外蓋の間に減圧空間が設けられる蓋体とから構成され、二重壁内に減圧空間を有する容器本体が、対となる二重壁内に減圧空間を有する蓋体で閉じられる構造になっている。
【先行技術文献】
【特許文献】
【０００３】
【特許文献１】登録実用新案第３０２０３４９号公報
【発明の概要】
【発明が解決しようとする課題】
【０００４】
ところで、特許文献１の保温容器は、容器本体が対となる蓋体で閉じられる構造になっているが、調理作業では多様で複雑な作業が臨機応変に柔軟になされることが多いため、調理場の手近にあるものなど多様なものを代用蓋として使用することができる真空二重保温容器が求められている。
【０００５】
本発明は上記課題に鑑み提案するものであり、多様なものを代用蓋として使用することができ、使用者の利便性や状況適応力に優れる真空二重保温容器及び保温構造を提供することを目的とする。
【課題を解決するための手段】
【０００６】
本発明の真空二重保温容器は、減圧空間が内設される二重壁を底部と周側部に備える真空二重保温容器であって、上方に開放する開口部が前記周側部の上端で囲まれて設けられ、前記周側部の上端の外周で前記周側部の上端より上方に突出するように弾性封止材が設けられ、前記弾性封止材の上に載置される載置板で容器内部を閉塞可能であることを特徴とする。
これによれば、弾性封止材の上に適宜の載置板を載置するだけで開口部を閉じて容器内部を閉塞できることから、多様なものを代用蓋として使用することが可能となる。従って、真空二重保温容器の使用者の利便性を向上することができると共に、多様で複雑な作業が臨機応変に柔軟になされる調理作業等で、優れた状況適応力を発揮することができる。
【０００７】
本発明の真空二重保温容器は、前記弾性封止材の上端面が前記載置板と面接触可能な平滑水平面で形成されていることを特徴とする。
これによれば、弾性封止材と載置板の接触面積を増加させ、容器内部の封止性、密閉性を高め、容器内部が外気に触れることを高い安定性で確実に防止することができる。
【０００８】
本発明の真空二重保温容器は、前記弾性封止材がシリコンで形成されていることを特徴とする。
これによれば、耐熱性の高い弾性封止材とすることができ、容器内部に収容される高温の料理や蒸らし調理等で弾性封止材が変形すること等を確実に防止することができる。また、熱伝導率の低い弾性封止材とすることができ、容器内部が高温である場合にも使用者が弾性封止材を把持して真空二重保温容器を移動することができる。また、剥離性に優れる弾性封止材とすることができ、弾性封止材の上に載置した載置板が弾性封止材に張り付いてしまうことを防止することができる。
【０００９】
本発明の真空二重保温容器は、前記周側部が基部と前記基部より上側に配置される首窄まり部を有し、逆さまにした状態で、前記底部が、前記真空二重保温容器と同一の形状と構造を有し且つ前記真空二重保温容器よりも大きさが小さい子容器の弾性封止材の上に載置板として載置可能であると共に、前記首窄まり部が、前記子容器の周側部の基部の外側に遊嵌可能であることを特徴とする。
これによれば、減圧空間が内設されている容器の底部を、真空二重保温構造の子容器の載置板として利用し、子容器の内部を非常に高い断熱性で保温状態にすることができる。また、容器の首窄まり部を子容器の周側部の基部の外側に遊嵌可能とすることにより、逆さまの容器の底部が子容器の弾性封止材の上に載置板として載置された状態において、容器と子容器の位置を安定させることができる。そして、容器と子容器の安定した配置により、子容器の内部の封止性、密閉性、断熱性を安定させることができる。また、容器の首窄まり部を子容器の基部の外側に遊嵌可能とすることにより、容器と子容器の嵌着を防止し、容器と子容器の嵌合状態と非嵌合状態にするスムーズな動作を確保することができる。
【００１０】
本発明の保温構造は、減圧空間が内設される二重壁を底部と周側部に備え、上方に開放する開口部が前記周側部の上端で囲まれて設けられ、前記周側部の上端の外周で前記周側部の上端より上方に突出するように弾性封止材が設けられる親容器と子容器を備え、前記子容器の弾性封止材の上に、逆さまにされた前記親容器の減圧空間が内設された二重壁の底部を載置して、前記子容器の容器内部が閉塞されることを特徴とする。
これによれば、親容器と子容器の双方とも、弾性封止材の上に適宜の載置板を載置するだけで開口部を閉じて容器内部を閉塞できることから、多様なものを代用蓋として使用することが可能となる。従って、親容器と子容器の使用者の利便性を向上することができると共に、多様で複雑な作業が臨機応変に柔軟になされる調理作業等で、優れた状況適応力を発揮することができる。また、減圧空間が内設されている親容器の底部を、子容器の載置板として利用し、子容器の内部を非常に高い断熱性で保温状態にすることができる。
【００１１】
本発明の保温構造は、前記親容器と前記子容器のそれぞれの前記周側部が基部と前記基部より上側に配置される首窄まり部を有し、逆さまにされた前記親容器の首窄まり部が、前記子容器の周側部の基部の外側に遊嵌されることを特徴とする。
これによれば、親容器の首窄まり部を子容器の周側部の基部の外側に遊嵌することにより、逆さまの親容器の底部が子容器の弾性封止材の上に載置板として載置された状態において、親容器と子容器の位置を安定させることができる。そして、親容器と子容器の安定した配置により、子容器の内部の封止性、密閉性、断熱性を安定させることができる。また、親容器の首窄まり部を子容器の基部の外側に遊嵌可能とすることにより、親容器と子容器の嵌着を防止し、親容器と子容器の嵌合状態と非嵌合状態にするスムーズな動作を確保することができる。
【００１２】
本発明の保温構造は、前記親容器と同一の形状と構造を有し且つ前記親容器よりも大きさが大きく、周側部が基部と前記基部より上側に配置される首窄まり部を有する大容器を備え、前記大容器に、前記子容器と逆さまにされた前記親容器が収容され、前記大容器の首窄まり部が、前記親容器の周側部の基部の外側に遊嵌されることを特徴とする。
これによれば、真空二重保温容器の大容器に子容器と逆さまにされた親容器を収容することにより、子容器の内部の保温性、断熱性をより一層高めることができる。また、大容器の首窄まり部を逆さまにされた親容器の周側部の基部の外側に遊嵌することにより、大容器と親容器の位置を安定させることができる。そして、大容器と親容器の安定した配置により、子容器の内部の封止性、密閉性、断熱性をより一層安定させることができる。また、大容器の首窄まり部を親容器の基部の外側に遊嵌可能とすることにより、大容器と親容器の嵌着を防止し、大容器と親容器の嵌合状態と非嵌合状態にするスムーズな動作を確保することができる。
【００１３】
本発明の保温構造は、前記子容器の底部の外表面から上端までの高さが、前記親容器の底部の内表面から上端までの高さよりも高くなるように形成されていることを特徴とする。
これによれば、子容器の弾性封止材の上に逆さまにされた親容器の底部が載置された状態において、親容器の開口部の外周に位置する弾性封止材が机や床等に接触することを防止することができ、真空二重保温容器の衛生的な使用を確保することができる。
【発明の効果】
【００１４】
本発明によれば、多様なものを代用蓋として使用することができ、使用者の利便性を向上し、優れた状況適応力を発揮することができる真空二重保温容器を得ることができる。
【図面の簡単な説明】
【００１５】
【図１】本発明による第１実施形態の真空二重保温容器を構成する親容器と子容器の斜視図。
【図２】（ａ）は第１実施形態の真空二重保温容器を構成する親容器と子容器の縦断面図、（ｂ）はそのフランジ部周辺の拡大縦断面図。
【図３】第１実施形態における親容器の保温状態の例を示す縦断説明図。
【図４】第１実施形態における子容器の保温状態の例を示す縦断面図。
【図５】本発明による第２実施形態の真空二重保温容器を構成する親容器と子容器と大容器の斜視図。
【図６】（ａ）は第２実施形態の真空二重保温容器を構成する親容器と子容器と大容器の縦断面図、（ｂ）はそのフランジ部周辺の拡大縦断面図。
【図７】第２実施形態における子容器の保温状態の例を示す縦断面図。
【発明を実施するための形態】
【００１６】
〔第１実施形態の真空二重保温容器及び保温構造〕
本発明による第１実施形態の真空二重保温容器は、調理した料理の保温や蒸らし調理などに用いられる真空二重保温容器であり、図１及び図２に示す親容器１ａと子容器１ｂがそれぞれ真空二重保温容器になっており、親容器１ａと子容器１ｂで好適な保温構造が構成される。親容器１ａは、減圧空間Ｓａが内設される二重壁を底部１１ａと周側部１２ａに備え、周側部１２ａは、基部１２１ａと、基部１２１ａよりテーパ部を経て上側に配置される首窄まり部１２２ａとから構成される。更に、周側部１２ａの上端から外側に屈曲するようにして略水平で延びるフランジ部１２３ａが設けられている
【００１７】
親容器１ａの二重壁は内容器２ａと外容器３ａとから構成され、内容器２ａと外容器３ａとの間が大気圧よりも減圧されて断熱性が高められた減圧空間Ｓａになっている。内容器２ａは、底部２１ａと、周側部２２ａを備え、周側部２２ａが基部２２１ａと、基部２２１ａより上側に配置される首窄まり部２２２ａとから構成されると共に、周側部２２ａの上端から外側に屈曲するようにして略水平で延びるフランジ部２２３ａが設けられている。外容器３ａも、底部３１ａと、周側部３２ａを備え、周側部３２ａが基部３２１ａと、基部３２１ａより上側に配置される首窄まり部３２２ａとから構成されると共に、周側部３２ａの上端から外側に屈曲するようにして略水平で延びるフランジ部３２３ａが設けられている。
【００１８】
親容器１ａの底部１１ａは内容器２ａの底部２１ａと外容器３ａの底部３１ａとから構成され、親容器１ａの周側部１２ａは内容器２ａの周側部２２ａと外容器３ａの周側部３２ａとから構成され、親容器１ａの底部１１ａから周側部１２ａに亘って設けられる二重壁の内部空間が減圧空間Ｓａになっている。親容器１ａの基部１２１ａを構成する内容器２ａの基部２２１ａと外容器３ａの基部３２１ａ、親容器１ａの首窄まり部１２２ａを構成する内容器２ａの首窄まり部２２２ａと外容器３ａの首窄まり部３２２ａは、それぞれ対応する位置に配置される。
【００１９】
第１実施形態における親容器１ａの底部２１ａと底部３１ａとの間の間隔、換言すれば親容器１ａの底部１１ａの減圧空間Ｓａの厚みは、親容器１ａの周側部２２ａと周側部３２ａとの間の間隔、換言すれば親容器１ａの周側部１２ａの減圧空間Ｓａの厚みよりも大きくなっている。親容器１ａのフランジ部１２３ａは、内容器２ａのフランジ部２２３ａと外容器３ａのフランジ部３２３ａが上下に重なるように積層配置されて構成されている。
【００２０】
親容器１ａには、上方に開放する開口部４ａが周側部１２ａの上端で囲まれるようにして設けられている。また、親容器１ａには、周側部１２ａの上端の外周で周側部１２ａの上端より上方に突出するようにして弾性封止材５ａが設けられている。第１実施形態における弾性封止材５ａは、略リング状であり、フランジ１２３ａが嵌め込まれる嵌合溝５１ａが形成されていると共に、下方に延びるように筒部５２ａが設けられている。弾性封止材５ａは、嵌合溝５１ａをフランジ部１２３ａに嵌着し、筒部５２ａを周側部１２ａの首窄まり部１２２ａが外周面に沿うように設けて、内容器２ａ及び外容器３ａに固定されている。
【００２１】
弾性封止材５ａは、その上端面５３ａが適宜の載置板と面接触可能な平滑水平面で形成されており、保温時には、弾性封止材５ａの上に、例えば図３に示す載置板１０を載置することにより、親容器１ａの開口部４ａを閉じて容器内部を閉塞可能になっている。また、弾性封止材５ａは、本発明の趣旨の範囲内で適宜の材料で形成することが可能であるが、第１実施形態の弾性封止材５ａはシリコンで形成されており、弾性封止材５ａの耐熱性の向上、熱伝導率の低下、剥離性の向上が図られている。
【００２２】
子容器１ｂは、親容器１ａと同一の形状と構造を有し且つ親容器１ａよりも大きさが小さく形成されている。即ち、子容器１ｂは、減圧空間Ｓｂが内設される二重壁を底部１１ｂと周側部１２ｂに備え、周側部１２ｂは、基部１２１ｂと、基部１２１ｂよりテーパ部を経て上側に配置される首窄まり部１２２ｂとから構成される。更に、周側部１２ｂの上端から外側に屈曲するようにして略水平で延びるフランジ部１２３ｂが設けられている。
【００２３】
子容器１ｂの二重壁は、内容器２ｂと外容器３ｂとから構成され、内容器２ｂと外容器３ｂとの間が大気圧よりも減圧されて断熱性が高められた減圧空間Ｓｂになっている。内容器２ｂは、内容器２ａと同様に、底部２１ｂ、周側部２２ｂ、基部２２１ｂ、首窄まり部２２２ｂ、フランジ部２２３ｂを有し、外容器３ｂは、外容器３ａと同様に、底部３１ｂ、周側部３２ｂ、基部３２１ｂ、首窄まり部３２２ｂ、フランジ部３２３ｂを有し、子容器１ｂのフランジ部１２３ｂはフランジ部２２３ｂとフランジ部３２３ｂが上下に重なるように積層配置されて構成されている。
【００２４】
子容器１ｂには、上方に開放する開口部４ｂが周側部１２ｂの上端で囲まれるようにして設けられている。また、子容器１ｂには、周側部１２ｂの上端の外周で周側部１２ｂの上端より上方に突出するようにして弾性封止材５ｂが設けられており、弾性封止材５ｂは、嵌合溝５１ｂをフランジ部１２３ｂに嵌着し、筒部５２ｂを周側部１２ｂの首窄まり部１２２ｂの外周面に沿うように設けて、子容器１ｂで固定されている。弾性封止材５ｂは、その上端面５３ｂが適宜の載置板と面接触可能な平滑水平面で形成されており、弾性封止材５ｂの上に適宜の載置板を載置することにより、子容器１ｂの開口部４ｂを閉じて容器内部を閉塞可能になっている。弾性封止材５ｂの材料は弾性封止材５ａと同様であり、シリコンで形成すると好適である。
【００２５】
そして、子容器１ｂの周側部１２ｂの基部１２１ｂの外径は、親容器１ａの周側部１２ａの首窄まり部１２２ａの内径よりも若干小さく形成されており、図２に示すように、親容器１ａの内部に子容器１ｂを挿入して、親容器１ａに子容器１ｂを収容可能になっている。また、図４に示すように、親容器１ａを逆さまにした状態で、親容器１ａの内部に子容器を収容可能になっており、親容器１ａの減圧空間Ｓａが内設された二重壁の底部１１ａを子容器１ｂの弾性封止材５ｂの上に載置板として載置して、親容器１ａの周側部１２ａの首窄まり部１２２ａを子容器１ｂの周側部１２ｂの基部１２１ｂの外側に遊嵌可能になっている。子容器１ｂの保温時には、適宜の載置板を弾性封止材５ｂの上に載置して保温することができると共に、逆さまにした親容器１ａの底部１１ａを弾性封止材５ｂの上に載置して保温することができる。
【００２６】
更に、子容器１ｂの底部１１ｂの外表面から子容器１ｂの上端までの高さ、換言すれば子容器１ｂの外容器３ｂの底部３１ｂの外表面から子容器１ｂの弾性封止材５ｂの上端面５３ｂまでの高さは、親容器１ａの底部１１ａの内表面から親容器１ａの上端までの高さ、換言すれば親容器１ａの内容器２ａの底部２１ａの内表面から親容器１ａの弾性封止材５ａの上端面５３ａまでの高さよりも高くなるように形成されており、図４に示す子容器１ｂの保温状態で親容器１ａの弾性封止材５ａ或いはその上端面５３ａが子容器１ｂの載置面に接触不能になっている。
【００２７】
第１実施形態によれば、親容器１ａと子容器１ｂの双方とも、弾性封止材５ａ、５ｂの上に適宜の載置板１０等を載置するだけで開口部４ａ、４ｂを閉じて容器内部を閉塞できることから、多様なものを代用蓋として使用することが可能となる。従って、親容器１ａと子容器１ｂの使用者の利便性を向上することができると共に、多様で複雑な作業が臨機応変に柔軟になされる調理作業等で、優れた状況適応力を発揮することができる。また、減圧空間Ｓａが内設されている親容器１ａの底部１１ａを、子容器１ｂの載置板として利用し、子容器１ｂの内部を非常に高い断熱性で保温状態にすることもできる。
【００２８】
また、弾性封止材５ａ、５ｂの上端面５３ａ、５３ｂを載置板１０等と面接触可能な平滑水平面で形成することにより、弾性封止材５ａ、５ｂと載置板の接触面積を増加させ、容器内部の封止性、密閉性を高め、容器内部が外気に触れることを高い安定性で確実に防止することができる。
【００２９】
また、弾性封止材５ａ、５ｂをシリコンで形成することにより、耐熱性の高い弾性封止材５ａ、５ｂとすることができ、容器内部に収容される高温の料理や蒸らし調理等で弾性封止材５ａ、５ｂが変形すること等を確実に防止することができる。更に、熱伝導率の低い弾性封止材５ａ、５ｂとすることができ、容器内部が高温である場合にも使用者が弾性封止材５ａ、５ｂを把持して真空二重保温容器を移動することができる。更に、剥離性に優れる弾性封止材５ａ、５ｂとすることができ、弾性封止材５ａ、５ｂの上に載置した載置板１０或いは親容器１ａの底部１１ａ等が弾性封止材５ａ、５ｂに張り付いてしまうことを防止することができる。
【００３０】
また、親容器１ａの首窄まり部１２２ａを子容器１ｂの周側部１２ｂの基部１２１ｂの外側に遊嵌することにより、逆さまの親容器１ａの底部１１ａが子容器１ｂの弾性封止材５ｂの上に載置板として載置された状態において、親容器１ａと子容器１ｂの位置を安定させることができる。そして、親容器１ａと子容器１ｂの安定した配置により、子容器１ｂの内部の封止性、密閉性、断熱性を安定させることができる。また、親容器１ａの首窄まり部１２２ａを子容器１ｂの基部１２１ｂの外側に遊嵌可能とすることにより、親容器１ａと子容器１ｂの嵌着を防止し、親容器１ａと子容器１ｂの嵌合状態と非嵌合状態にするスムーズな動作を確保することができる。
【００３１】
また、子容器１ｂの底部１１ｂの外表面から上端までの高さを親容器１ａの底部１１ａの内表面から上端までの高さよりも高くなるように形成することにより、子容器１ｂの弾性封止材５ｂの上に逆さまにされた親容器１ａの底部１１ａが載置された状態において、親容器１ａの開口部４ａの外周に位置する弾性封止材５ａが机や床等に接触することを防止することができ、真空二重保温容器の衛生的な使用を確保することができる。
【００３２】
〔第２実施形態の真空二重保温容器及び保温構造〕
本発明による第２実施形態の真空二重保温容器は、調理した料理の保温や蒸らし調理などに用いられる真空二重保温容器であり、図５及び図６に示す親容器１ａと子容器１ｂと大容器１ｃがそれぞれ真空二重保温容器になっており、親容器１ａと子容器１ｂと大容器１ｃで好適な保温構造が構成される。親容器１ａの構成と子容器１ｂの構成は第１実施形態と同様である。
【００３３】
大容器１ｃは、親容器１ａと同一の形状と構造を有し且つ親容器１ａよりも大きさが大きく形成されている。即ち、大容器１ｃは、減圧空間Ｓｃが内設される二重壁を底部１１ｃと周側部１２ｃに備え、周側部１２ｃは、基部１２１ｃと、基部１２１ｃよりテーパ部を経て上側に配置される首窄まり部１２２ｃとから構成される。更に、周側部１２ｃの上端から外側に屈曲するようにして略水平で延びるフランジ部１２３ｃが設けられている。
【００３４】
大容器１ｃの二重壁は、内容器２ｃと外容器３ｃとから構成され、内容器２ｃと外容器３ｃとの間が大気圧よりも減圧されて断熱性が高められた減圧空間Ｓｃになっている。内容器２ｃは、内容器２ａと同様に、底部２１ｃ、周側部２２ｃ、基部２２１ｃ、首窄まり部２２２ｃ、フランジ部２２３ｃを有し、外容器３ｃは、外容器３ａと同様に、底部３１ｃ、周側部３２ｃ、基部３２１ｃ、首窄まり部３２２ｃ、フランジ部３２３ｃを有し、子容器１ｃのフランジ部１２３ｃはフランジ部２２３ｃとフランジ部３２３ｃが上下に重なるように積層配置されて構成されている。
【００３５】
大容器１ｃには、上方に開放する開口部４ｃが周側部１２ｃの上端で囲まれるようにして設けられている。また、大容器１ｃには、周側部１２ｃの上端の外周で周側部１２ｃの上端より上方に突出するようにして弾性封止材５ｃが設けられており、弾性封止材５ｃは、嵌合溝５１ｃをフランジ部１２３ｃに嵌着し、筒部５２ｃを周側部１２ｃの首窄まり部１２２ｃの外周面に沿うように設けて、大容器１ｃで固定されている。弾性封止材５ｃは、その上端面５３ｃが適宜の載置板と面接触可能な平滑水平面で形成されており、弾性封止材５ｃの上に適宜の載置板を載置することにより、大容器１ｃの開口部４ｃを閉じて容器内部を閉塞可能になっている。弾性封止材５ｃの材料は弾性封止材５ａと同様であり、シリコンで形成すると好適である。
【００３６】
そして、親容器１ａの周側部１２ａの基部１２１ａの外径は、大容器１ｃの周側部１２ｃの首窄まり部１２２ｃの内径よりも若干小さく形成されており、図６に示すように、大容器１ｃの内部に親容器１ｃを挿入して、大容器１ｃに親容器１ａを収容可能になっている。また、図７に示すように、逆さまにした状態で子容器１ｂを内部に収容している親容器１ａを大容器１ｃに収容可能になっており、この収容の際に、大容器１ｃの首窄まり部１２２ｃが、親容器１ａの周側部１２ａの基部１２１ａの外側に遊嵌される。
【００３７】
尚、子容器１ｂを親容器１ａで保温状態にしたのと同様の構成で、親容器１ａを大容器１ｃで保温状態にすることも可能である（図４参照）。即ち、大容器１ｃの減圧空間Ｓｃが内設された二重壁の底部１１ｃを親容器１ａの弾性封止材５ａの上に載置板として載置して、大容器１ｃの周側部１２ｃの首窄まり部１２２ｃを親容器１ａの周側部１２ａの基部１２１ａの外側に遊嵌可能になっており、親容器１ａの保温時には、適宜の載置板を弾性封止材５ａの上に載置して保温することができると共に、逆さまにした大容器１ｃの底部１１ｃを弾性封止材５ａの上に載置して保温することができる。
【００３８】
更に、親容器１ａの底部１１ａの外表面から親容器１ａの上端までの高さ、換言すれば親容器１ａの外容器３ａの底部３１ａの外表面から親容器１ａの弾性封止材５ａの上端面５３ａまでの高さは、大容器１ｃの底部１１ｃの内表面から大容器１ｃの上端までの高さ、換言すれば大容器１ｃの内容器２ｃの底部２１ｃの内表面から大容器１ｃの弾性封止材５ｃの上端面５３ｃまでの高さよりも高くなるように形成されており、大容器１ｃを逆さにして被せる親容器１ｃの保温状態で、大容器１ｃの弾性封止材５ｃ或いはその上端面５３ｃが親容器１ａの載置面に接触不能になっている。
【００３９】
第２実施形態によれば、第１実施形態と対応する構成から対応する効果を得ることができる。また、真空二重保温容器の大容器１ｃに子容器１ｂと逆さまにされた親容器１ａを収容することにより、子容器１ｂの内部の保温性、断熱性をより一層高めることができる。更に、大容器１ｃの首窄まり部１２２ｃを逆さまにされた親容器１ａの周側部１２ａの基部１２１ａの外側に遊嵌することにより、大容器１ｃと親容器１ａの位置を安定させることができる。そして、大容器１ｃと親容器１ａの安定した配置により、子容器１ｂの内部の封止性、密閉性、断熱性をより一層安定させることができる。また、大容器１ｃの首窄まり部１２２ｃを親容器１ａの基部１２１ａの外側に遊嵌可能とすることにより、大容器１ｃと親容器１ａの嵌着を防止し、大容器１ｃと親容器１ａの嵌合状態と非嵌合状態にするスムーズな動作を確保することができる。
【００４０】
〔本明細書開示発明の包含範囲〕
本明細書開示の発明は、発明として列記した各発明、各実施形態及びその変形例の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００４１】
例えば本発明の弾性封止材の形状と材料は、本発明の趣旨の範囲内で適宜であり、上記弾性封止材５ａ、５ｂ、５ｃに限定されず、又、弾性封止材の上端面が平滑水平面で形成されていないものも本発明に含まれる。尚、本発明の弾性封止材をシリコン以外の材料で形成する場合、耐熱性、低熱伝導性、剥離性を備える材料で形成することが好ましい。
【００４２】
また、本発明の真空二重保温容器の形状は、本発明の趣旨の範囲内で適宜であり、上記親容器１ａ、子容器１ｂ、大容器１ｃの形状に限定されない。また、本発明で用いられる載置板は、断熱材を備える材料であれば適宜であり、例えば発泡スチロール等の載置板とする場合も本発明に含まれる。
【産業上の利用可能性】
【００４３】
本発明は、調理した料理の保温や蒸らし調理などに用いられる真空二重保温容器として利用することができる。
【符号の説明】
【００４４】
１ａ…親容器  １ｂ…子容器  １ｃ…大容器  １１ａ、１１ｂ、１１ｃ…底部  １２ａ、１２ｂ、１２ｃ…周側部  １２１ａ、１２１ｂ、１２１ｃ…基部  １２２ａ、１２２ｂ、１２２ｃ…首窄まり部  １２３ａ、１２３ｂ、１２３ｃ…フランジ部  ２ａ、２ｂ、２ｃ…内容器  ２１ａ、２１ｂ、２１ｃ…底部  ２２ａ、２２ｂ、２２ｃ…周側部  ２２１ａ、２２１ｂ、２２１ｃ…基部  ２２２ａ、２２２ｂ、２２２ｃ…首窄まり部  ２２３ａ、２２３ｂ、２２３ｃ…フランジ部  ３ａ、３ｂ、３ｃ…外容器  ３１ａ、３１ｂ、３１ｃ…底部  ３２ａ、３２ｂ、３２ｃ…周側部  ３２１ａ、３２１ｂ、３２１ｃ…基部  ３２２ａ、３２２ｂ、３２２ｃ…首窄まり部  ３２３ａ、３２３ｂ、３２３ｃ…フランジ部  ４ａ、４ｂ、４ｃ…開口部  ５ａ、５ｂ、５ｃ…弾性封止材  ５１ａ、５１ｂ、５１ｃ…嵌合溝  ５２ａ、５２ｂ、５２ｃ…筒部  ５３ａ、５３ｂ、５３ｃ…上端面  １０…載置板  Ｓａ、Ｓｂ、Ｓｃ…減圧空間
【図１】
2020162698.tif 000003
【図２】
2020162698.tif 000004
【図３】
2020162698.tif 000005
【図４】
2020162698.tif 000006
【図５】
2020162698.tif 000007
【図６】
2020162698.tif 000008
【図７】
2020162698.tif 000009